(57)【要約】【課題】携帯電話端末をポケットあるいは専用のホルダー等に入れ保持した状態にあっても、補助ディスプレイに表示される情報を直接視認できる補助ディスプレイ付き携帯電話端末を提供する。【解決手段】主ディスプレイと補助ディスプレイを備える携帯電話端末において、アンテナ設置側端面部の一部分に、補助ディスプレイを設ける。【選択図】        図２
2004186728.tif 000002
【特許請求の範囲】
【請求項１】
主ディスプレイと補助ディスプレイを備える携帯電話端末において、
アンテナ設置側端面部の一部分に、補助ディスプレイを設けた
ことを特徴とする補助ディスプレイ付き携帯電話端末。
【発明の詳細な説明】
【０００１】
【発明の属する技術分野】
本発明は、補助ディスプレイ付き携帯電話端末に関する。
【０００２】
【従来の技術】
現在では、着信時の着信情報等を表示するための補助ディスプレイが設けられた携帯電話機が普及してきている。このタイプの携帯電話機では、その補助ディスプレイは、非折り畳み式の携帯電話機の場合、液晶ディスプレイからなるディスプレイやテンキー等の入力部が設けられる面（表面：図９、図１０（ａ）参照）と反対側の面（裏面：図１０（ｂ）参照）に設けられ、折り畳み式の携帯電話機の場合、折り畳んだ状態で隠蔽されるディスプレイまたは入力部のある面（図１１、図１３参照）の反対側にあたる、すなわち折り畳んだ状態で外側にある広い面の一方（図１２、図１４参照）に設けられるのが一般的である。また、特許文献１には、折り畳み式の携帯電話機のヒンジ部分に、液晶表示器を設け、筐体下部と筐体上部を折り畳んだ状態及び開いた状態で、すなわち両方の状態でこの液晶表示器を確認できる折り畳み式携帯電話機の発明が開示されている。
【０００３】
【特許文献１】
特開２００２−３００２４５号公報
【０００４】
【発明が解決しようとする課題】
以上のような従来の配置で補助ディスプレイを設けたのでは、当該携帯電話機をポケットあるいは専用のホルダー等に入れ保持したときに、補助ディスプレイ部分が隠されてしまうため、この補助ディスプレイに表示される情報が見えないという問題があった。
【０００５】
本発明は、上記の点に鑑みてなされたもので、携帯電話端末をポケットあるいは専用のホルダー等に入れ保持した状態にあっても、補助ディスプレイに表示される情報を直接視認できる補助ディスプレイ付き携帯電話端末を提供するものである。
【０００６】
【課題を解決するための手段】
本発明の携帯電話端末は、主ディスプレイと補助ディスプレイを備える携帯電話端末において、アンテナ設置側端面部の一部分に、補助ディスプレイを設けたことを特徴としている。
【０００７】
通常の使用方法で携帯電話端末がポケットや専用ホルダー等に保持される場合、アンテナが設置される面が空間的に上部にあるように使用される。本発明の携帯電話端末では、補助ディスプレイが、アンテナ設置側端面部の一部分に設けられるので、通常の使用方法で当該携帯電話端末がポケットや専用ホルダー等に保持される場合（このとき折り畳み式携帯電話端末にあっては折り畳まれた状態にある）、補助ディスプレイがある面が、空間的に上部（頂上部）に位置することになる。したがって、本発明の携帯電話端末の使用者は、当該携帯電話端末をポケットや専用ホルダー等に保持した状態でも、頂上部にある補助ディスプレイに表示される情報を、直接視認することができる。
【０００８】
【発明の実施の形態】
以下、本発明の実施の形態を、図面を参照して説明する。
図１は、本発明の一実施の形態である携帯電話端末の構成を示すブロック図である。
図１において、符号１１は回路各部を制御するＣＰＵ（中央処理装置）であり、符号１２は発信／着信処理の通信プログラムや楽曲データを再生する楽曲再生処理を補助するプログラムなど各種制御プログラムを格納するＲＯＭ（リードオンリメモリ）である。符号１３は楽曲データなど各種データ記憶用のＲＡＭ（ランダムアクセスメモリ）であり、ＣＰＵ・１１のワークエリアとしても使用され、バッテリバックアップがなされている。符号１４は電話番号等を入力するためのテンキー、各種ファンクションキー等が設けられた操作部である。
【０００９】
また、符号１５，１６，１７はそれぞれ主ディスプレイ、第１補助ディスプレイ、第２補助ディスプレイであり、ＬＣＤ（液晶）表示器および表示制御回路からなっている。この第１補助ディスプレイ１６および第２補助ディスプレイ１７に表示される情報は、ユーザが任意に設定できる。例えば、着信があった場合には、「着信有り」との表示や発信元の電話番号や氏名の表示をさせたり、新着の電子メールや留守電メッセージ（留守番電話サービスの伝言メッセージ）があった場合には、それぞれ「新着メール有り」、「留守電メッセージ有り」等の表示をさせたりする。なお、携帯電話端末１は、第１補助ディスプレイ１６を省略した構成としてもよい。
【００１０】
符号１８はロッド状のアンテナであり、一般に筐体の長手方向の一端に、この方向にアンテナ１８を延ばせるように設けられる。符号１９は通信部であり、送信データを搬送波に乗せてアンテナ１８から送信し、また、アンテナ１８を介して着信した着信信号を復調してＣＰＵ・１１または音声処理部２０へ出力する。音声処理部２０はマイクロフォン２１から出力された音声信号をディジタルデータに変換し、さらに圧縮し送信データとして通信部１９へ出力し、また、通信部１９から出力される音声データをアナログ音声信号に変換し、スピーカ２２へ出力する。符号２３は着信音再生部であり、ＣＰＵ・１１からの指示に従って着信メロディを形成し着信音信号を、スピーカ２４へ出力する。符号３０は上述した各部とＣＰＵ・１１とを接続するバスラインである。
【００１１】
次に、本実施の形態の携帯電話端末１の外観について、図２〜７を参照し説明する。なお、図２，３は非折り畳み式の場合の例であり、図４〜７は折り畳み式の例である。
これらの図に示すように、本実施の形態では、従来の配置で設けられた第１補助ディスプレイ１６に加え、さらに、第２補助ディスプレイ１７を、アンテナ１８が設置される端面部（アンテナ設置側端面部）の、このアンテナ１８が設置される部分を除く余りの一部分に設けている。通常の使用方法で携帯電話端末１がポケットや専用ホルダー等に保持される場合（このとき折り畳み式の携帯電話端末１にあっては折り畳まれた状態にある：図５、図７）、アンテナ１８が配置される面が空間的に上部にあるように使用されるので、この第２補助ディスプレイ１７も、同じく空間的に上部（頂上部）に位置する。したがって、携帯電話端末１の使用者は、当該携帯電話端末１をポケットや専用ホルダー等に保持した状態でも、この第２補助ディスプレイ１７により、これに表示される情報を直接視認することができる。
【００１２】
次に、このように構成された本実施形態の携帯電話端末１の着信時の動作（着信処理）の概要を説明する（図８参照）。なお、発信時の処理は従来と同様でありその説明は省略する。
【００１３】
はじめに、通信部１９が着信信号を受信すると、この着信信号を復調し、発信元の情報等を含む着信データをＣＰＵ・１１へ出力する。ＣＰＵ・１１はその着信データを受け、発信元の情報をＲＡＭ１３に書き込む等の所定の着信時の処理を行う（ステップＳ１１）。
次に、設定に基づいて例えば発信元の情報やメールや留守電メッセージの着信を知らせるメッセージを第１補助ディスプレイ１６および第２補助ディスプレイ１７に表示する（ステップＳ１２）。この第１補助ディスプレイ１６および第２補助ディスプレイ１７に表示させる情報は、それぞれ独立して任意に設定される。
【００１４】
次に、ＣＰＵ・１１の指示により着信音（着信メロディ）が着信音再生部２３で再生されてスピーカ２４から放音される（ステップＳ１３）。上記したステップＳ１３の処理が実行されて着信音が放音された後は、この着信音は、所定の操作によりオフフックとなるまで鳴音され続ける。
ここで、オフフックとなったとすると（このときステップＳ１４の判断で、Ｙｅｓと判定される）、着信音の再生を停止する（ステップＳ１５）。さらに第１補助ディスプレイ１６と第２補助ディスプレイ１７に表示された情報を非表示とし（ステップＳ１６）、一方、主ディスプレイ１５には、設定に基づき所定の情報を表示する（ステップＳ１７）。
【００１５】
次いで、オンフックとなるまで通話処理を行う（ステップＳ１８）。その後、通話が終了し所定の操作を受けオンフックとなった場合（このときステップＳ１９の判断で、Ｙｅｓと判定される）、回線を切断し（ステップＳ２０）、主ディスプレイ１５の表示を非表示として（ステップＳ２１）、一連の着信処理を終了する。
通常、着信待受けの状態では、ポケットや専用ホルダーに入れられ保持されているか、ストラップを用いてバッグの中やベルト等につり下げられている状態にあるが、以上のように携帯電話端末１が着信待受け状態で、実際に着信があると、その頂上部に位置するアンテナ１８が設置される側の端面部の一部に設けられた第２補助ディスプレイ１７に、設定に基づく所定の情報が表示される。
【００１６】
なお、上記で説明した動作フローは、動作の概要を説明するための一例であり、本実施の形態の携帯電話端末１の動作は、上記の処理の流れに限定されるものではない。上記では、通話着信の場合について説明しているが、例えば、着信信号に電子メールや留守番メッセージの着信を通知する情報が含まれる場合は、ステップＳ１２にて、これらの着信を示すメッセージを表示し、電子メールの着信の場合には、ステップＳ１７，Ｓ１８の処理の代わりに、主ディスプレイ１５に着信メールの表示や着信メールを選択表示させるためのメニュー等の表示をする処理を行う。
【００１７】
以上、この発明の実施形態を、図面を参照して詳述してきたが、具体的な構成はこの実施形態に限られるものではなく、この発明の要旨を逸脱しない範囲の構成等も含まれる。また、本発明の携帯電話端末は、いわゆる携帯電話機やＰＨＳ（登録商標）（Ｐｅｒｓｏｎａｌ  ｈａｎｄｙｐｈｏｎｅ  ｓｙｓｔｅｍ）端末を含む他、コードレスホン等も含むものである。
【００１８】
【発明の効果】
以上、詳細に説明したように、本発明によれば、補助ディスプレイが、アンテナ設置側端面部の一部分に設けられている。通常の使用方法で本発明の携帯電話端末が、ポケットや専用ホルダー等に保持される場合、そのアンテナ設置側端面部が空間的に上部にあるように使用されるので、本発明の携帯電話端末の使用者は、当該携帯電話端末をポケットや専用ホルダー等に保持した状態でも、補助ディスプレイに表示される情報を直接視認することができる。
【図面の簡単な説明】
【図１】本発明の一実施の形態である携帯電話端末の概略構成を示すブロック図である。
【図２】同実施の形態の非折り畳み式携帯電話端末の外観を示す斜視図である。
【図３】（ａ）図２に示す携帯電話端末の正面図、（ｂ）同携帯電話端末の背面図である。
【図４】同実施の形態の折り畳み式携帯電話端末（第１例）の外観を示す斜視図である。
【図５】図４に示す折り畳み式携帯電話端末を折り畳んだ状態の外観を示す斜視図である。
【図６】同実施の形態の折り畳み式携帯電話端末（第２例）の外観を示す斜視図である。
【図７】図６に示す折り畳み式携帯電話端末を折り畳んだ状態の外観を示す斜視図である。
【図８】同実施の形態の携帯電話端末の着信処理を説明するフローチャートである。
【図９】従来の非折り畳み式補助ディスプレイ付き携帯電話端末の外観を示す斜視図である。
【図１０】（ａ）図９に示す携帯電話端末の正面図、（ｂ）同携帯電話端末の背面図である。
【図１１】従来の折り畳み式補助ディスプレイ付き携帯電話端末（第１例）の外観を示す斜視図である。
【図１２】図１１に示す携帯電話端末を折り畳んだ状態の外観を示す斜視図である。
【図１３】従来の折り畳み式補助ディスプレイ付き携帯電話端末（第２例）の外観を示す斜視図である。
【図１４】図１３に示す携帯電話端末を折り畳んだ状態の外観を示す斜視図である。
【符号の説明】
１…携帯電話端末、１１…ＣＰＵ、１２…ＲＯＭ、１３…ＲＡＭ、１４…操作部、１５…主ディスプレイ、１６…第１補助ディスプレイ、１７…第２補助ディスプレイ、１８…アンテナ、１９…通信部、２０…音声処理部、２１…マイクロフォン（ＭＩＣ）、２２，２４…スピーカ、２３…着信音再生部、３０…バスライン
【図１】
2004186728.tif 000003
【図２】
2004186728.tif 000004
【図３】
2004186728.tif 000005
【図４】
2004186728.tif 000006
【図５】
2004186728.tif 000007
【図６】
2004186728.tif 000008
【図７】
2004186728.tif 000009
【図８】
2004186728.tif 000010
【図９】
2004186728.tif 000011
【図１０】
2004186728.tif 000012
【図１１】
2004186728.tif 000013
【図１２】
2004186728.tif 000014
【図１３】
2004186728.tif 000015
【図１４】
2004186728.tif 000016